(57)【要約】【課題】個々のユーザの操作状況に応じて、最適な操作応答と画面表示とが連動して得られるような制御を実現できる携帯端末を提供する。【解決手段】外部から入力情報を提供する操作キー２と、操作キー２の操作に連動して表示情報を表示させる表示手段（ＬＣＤ）３と、操作キー２が提供した入力情報とＬＣＤ３が表示させた表示情報とを比較する監視手段（監視部）６と、監視部６が入力情報と表示情報とを比較した比較結果に基づいて、ＬＣＤ３の表示情報を更新させるか否かの制御を行う制御手段（制御部）５とを備えている。このような構成により、制御部５は、監視部６によって比較された入力情報と表示情報とが異なるときに、ＬＣＤ３への表示情報の表示をスキップさせる。これにより、ＣＰＵの処理負荷と消費電力を低減させることができるので、操作性と向上と省電力化とを図ることが可能となる。【選択図】図２
2011165137.tif 000002
【特許請求の範囲】
【請求項１】
操作キーの操作に基づく入力情報と、前記操作キーの操作に連動する表示手段の表示情報との比較結果に基づいて、前記表示手段の表示情報を更新させるか否かを制御するように構成したことを特徴とする携帯端末。
【請求項２】
前記比較結果において前記入力情報と前記表示情報とが異なるときは、前記表示手段は前記表示情報の表示をスキップさせることを特徴とする請求項１に記載の携帯端末。
【請求項３】
入力情報を提供する操作キーと、
前記操作キーの操作に連動して表示情報を表示させる表示手段と、
前記操作キーが提供した入力情報と前記表示手段が表示させた表示情報とを比較する監視手段と、
前記監視手段による前記入力情報と前記表示情報との比較結果に基づいて、前記表示手段の表示情報を更新させるか否かの制御を行う制御手段と
を備えることを特徴とする携帯端末。
【請求項４】
前記制御手段は、前記監視手段による前記入力情報と前記表示情報との比較結果に基づいて、省電力制御及びＣＰＵの処理負荷の変更制御を行うことを特徴とする請求項３に記載の携帯端末。
【請求項５】
前記制御手段は、前記監視手段によって比較された前記入力情報と前記表示情報とが異なるときは、前記表示手段への表示情報の表示をスキップさせることを特徴とする請求項３に記載の携帯端末。
【請求項６】
前記制御手段は、前記操作キーによる入力情報の提供速度に応じて、前記表示手段に表示させる表示情報を更新させるか否かの制御を行うことを特徴とする請求項３に記載の携帯端末。
【請求項７】
前記制御手段は、前記操作キーによる入力情報の提供速度が所定の速度より速いときは、前記表示手段への表示情報の表示をスキップさせることを特徴とする請求項６に記載の携帯端末。
【請求項８】
操作キーの操作に基づく入力情報と、前記操作キーの操作に連動する表示手段の表示情報との比較結果に基づいて、前記表示手段の表示情報を更新させるか否かの制御を行うことを特徴とする携帯端末の制御方法。
【請求項９】
操作キーによって入力情報を提供する第１のステップと、
前記操作キーの操作に連動して表示手段に表示情報を表示させる第２のステップと、
前記操作キーが提供した入力情報と前記表示手段が表示させた表示情報とを比較する第３のステップと、
前記第３のステップによる前記入力情報と前記表示情報との比較結果に基づいて、前記表示手段の表示情報を更新させるか否かの制御を行う第４のステップと
を含むことを特徴とする携帯端末の制御方法。
【請求項１０】
前記第４のステップで比較された前記入力情報と前記表示情報とが異なるときは、前記表示手段への表示情報の表示をスキップさせることを特徴とする請求項９に記載の携帯端末の制御方法。
【発明の詳細な説明】
【技術分野】
【０００１】
本発明は、携帯電話などの携帯端末の操作を支援するための制御技術に関し、詳しくは、操作キーの入力と画面への表示とを適切に対応させて行うように支援する機能を備えた携帯端末、及びその携帯端末の制御方法に関する。
【背景技術】
【０００２】
近年、携帯端末などの情報通信機器においては、高機能化に伴って様々な操作支援を行う技術が知られている。例えば、入力された文字列を基に、続いて入力される文字列を予測して１つの文章、熟語、又は単語を完成させるように入力予測処理を行って文章作成支援を行う技術が開示されている。この技術では、続いて入力される文字列の入力時間が所定値より遅いときのみ前記入力予測処理を行い、入力時間が所定値より速いときは、期待した速度で文字入力が行われているので、前記入力予測処理を行わないようにして、続いて入力される文字列通りの文章作成を行わせるようにしている（例えば、特許文献１参照）。また、携帯電話などにおいても、高機能化に伴って様々な入力操作の支援が行われている。
【先行技術文献】
【特許文献】
【０００３】
【特許文献１】特開２０００−０４８０２０号公報
【発明の概要】
【発明が解決しようとする課題】
【０００４】
しかしながら、携帯電話などは、高機能化に伴って処理負荷と消費電力の増加が一段と進んできている。そのため、処理能力や電力容量が小さい携帯電話の操作性の面においてユーザがストレスを感じたり、次の操作に移るための待ち時間が長いなどなどの理由で不満を抱くことが多々見られる。言い換えると、携帯電話の高機能化や、その携帯電話で展開されるアプリケーションやコンテンツの高機能化に伴って、操作キーのレスポンスやその操作キーが占める処理時間の長さにストレスを感じることが多く見られる。また、携帯電話を利用するユーザにとっては、素早いキー入力操作を行うユーザも存在すれば、キー入力操作の遅いユーザも存在する。そこで、携帯電話における操作性の向上と消費電力の低減化が望まれているなかで、各ユーザの個人差に起因する処理制御や消費電力を低減させるような対策は少なく、全ての携帯電話において一様な制御を行っているのが現状である。
【０００５】
本発明は、このような問題点に鑑みてなされたものであり、個々のユーザの操作状況に応じて、最適な操作応答と画面表示とが連動して得られるような制御を実現できる携帯端末、及び携帯端末の制御方法を提供することを目的とする。
【課題を解決するための手段】
【０００６】
本発明は、上述の課題を解決すべくなされたもので、操作キーの操作に基づく入力情報と、前記操作キーの操作に連動する表示手段の表示情報との比較結果に基づいて、前記表示手段の表示情報を更新させるか否かを制御するように構成したことを特徴とする携帯端末である。
【０００７】
また本発明は、入力情報を提供する操作キーと、前記操作キーの操作に連動して表示情報を表示させる表示手段と、前記操作キーが提供した入力情報と前記表示手段が表示させた表示情報とを比較する監視手段と、前記監視手段による前記入力情報と前記表示情報との比較結果に基づいて、前記表示手段の表示情報を更新させるか否かの制御を行う制御手段とを備えることを特徴とする携帯端末である。
【０００８】
また本発明は、操作キーの操作に基づく入力情報と、前記操作キーの操作に連動する表示手段の表示情報との比較結果に基づいて、前記表示手段の表示情報を更新させるか否かの制御を行うことを特徴とする携帯端末の制御方法である。
【０００９】
また本発明は、操作キーによって入力情報を提供する第１のステップと、前記操作キーの操作に連動して表示手段に表示情報を表示させる第２のステップと、前記操作キーが提供した入力情報と前記表示手段が表示させた表示情報とを比較する第３のステップと、前記第３のステップによる前記入力情報と前記表示情報との比較結果に基づいて、前記表示手段の表示情報を更新させるか否かの制御を行う第４のステップとを含むことを特徴とする携帯端末の制御方法である。
【発明の効果】
【００１０】
本発明の携帯端末によれば、操作キーの入力情報と表示手段（ＬＣＤ）の表示情報（表示内容）とを比較しながらユーザの操作状況を常時監視し、それぞれの操作状況に最適な制御を行うことにより、操作性の向上と消費電力の低減化を図ることができる。言い換えると、ユーザによる操作キーの入力情報とＬＣＤの表示情報とを比較にして、比較結果に基づいて処理内容を変更することにより、必然的に、省電力制御とＣＰＵ処理能力の変更制御とを行うことができる。例えば、操作キーの入力情報とＬＣＤの表示情報とが異なるときには、ＬＣＤへの表示情報の表示をスキップさせるように処理内容を変更することにより、必然的に、電源容量及びＣＰＵの処理能力の小さい携帯端末に対して、省電力化とＣＰＵの処理負荷の軽減化とを図ることができる。これにより、携帯端末の動作環境を改善して、使い勝手のよい携帯端末を提供することができる。
【図面の簡単な説明】
【００１１】
【図１】本発明の一実施例に適用される携帯電話の外観斜視図である。
【図２】本発明の一実施例に適用される携帯電話の構成を示すブロック図である。
【図３】図２に示す携帯電話の制御の流れを示すフローチャートである。
【発明を実施するための形態】
【００１２】
本発明の携帯端末は、操作キーの操作に基づく入力情報と、前記操作キーの操作に連動する表示手段の表示情報との比較結果に基づいて、前記表示手段の表示情報を更新させるか否かを制御するように構成したことにより、個々のユーザの操作状況に応じて最適な操作応答と画面表示とが連動して得られるような制御を実現できる携帯端末を提供するという目的を達成した。
【００１３】
以下、本発明に係る携帯端末の具体的な実施例について、携帯電話を用いて図面を参照しながら詳細に説明する。なお、本実施例を説明するための全図において、同一の構成要素は原則として同一の符号を付し、その繰り返しの説明は省略する。
【実施例】
【００１４】
図１は、本発明の一実施例に適用される携帯電話の外観斜視図である。図１に示すように、携帯電話（携帯端末）１は、ユーザが入力操作を行うための操作キー２と、操作キー２による入力情報に応じた情報内容の表示を行う表示手段であるＬＣＤ（Liquid Crystal Display：液晶ディスプレイ）３とを主な構成要素としている。
【００１５】
図１に示すような構成において、携帯電話１は、ユーザが行う操作キー２による文字入力時において、操作キー２の入力速度に応じて自動的にＬＣＤ３の表示状態をＯＮ／ＯＦＦに切り替え、携帯電話１の最適なパフォーマンス（動作環境）をユーザに提供するように構成されている。具体的には、ユーザが操作キー２を操作したときときの文字入力速度が所定の速度より速い場合は、ＬＣＤ３の表示文字４が追いつかないために、ユーザの意図しない表示内容となることがある。そのような場合においては、ＬＣＤ３の表示状態は所望の役割を果たしていないので、ＬＣＤ３における表示文字４の処理を強制的にスキップさせる。これにより、電力容量が小さく、かつＣＰＵの処理能力が低い携帯電話１に対して、消費電力の低減化を図ることができると共に、ＣＰＵ処理の最適化を図ることができる。
【００１６】
以下、携帯電話１の動作状態に応じた操作キー２の入力情報と、それに対応するＬＣＤ３の表示内容とを比較することによって、携帯電話１に最適な動作環境を実現させる方法について詳細に説明する。
【００１７】
図２は、本発明の一実施例に適用される携帯電話１の構成を示すブロック図である。先ず、図２に示す携帯電話１の構成について説明する。携帯電話１は、ユーザが文字入力操作を行う操作キー２と、操作キー２によって入力された文字情報を表示するＬＣＤ（表示手段）３と、内蔵されたＣＰＵによってメモリやプログラムを動作させて操作キー２やＬＣＤ３などのデバイスを制御する制御部（制御手段）５と、ユーザが操作した操作キー２の入力情報（要求）及び操作キーに連動したＬＣＤ２の表示情報（処理）の監視を行う監視部（監視手段）６とを備えている。
【００１８】
各構成要素の機能についてさらに詳しく説明する。操作キー２は、電話をかける際に電話番号を入力したり、アドレス帳登録などのテキスト入力を行ったり、各種機能の設定入力を行ったりするためのユーザインタフェースである。ＬＣＤ３は、発信時や着信時において相手方の電話番号を表示する、操作キー２と連動した各種の入力内容を表示する、電子メールの送受信機能で作成、受信したテキストメールの内容を表示する、等の機能を有している。制御部５は、内蔵されたＣＰＵによってメモリやプログラムを動作させて操作キー２やＬＣＤ３などのデバイスの制御を行う機能を有している。監視部６は、ユーザが操作した操作キー３の入力情報（要求）と、前記操作キー３と連動したＬＣＤ２の表示情報（処理）の監視を行う機能を有している。なお、図２中の矢印は各構成要素の間における制御信号の流れの向きを表している。
【００１９】
次に、図２に示す携帯電話１の動作について説明する。図３は、図２に示す携帯電話１の制御の流れを示すフローチャートである。従って、図１及び図２を参照しながら、図３のフローチャートの流れに沿って携帯電話１の制御の流れを説明する。
【００２０】
図３において、先ず、ユーザが操作キー２の入力操作を行うことによって、制御部５が制御を開始する（ステップＳ１）。次に、監視部６が、操作キー２によって入力された入力情報を確認（検出）する（ステップＳ２）。さらに、監視部６は、操作キー２の操作に連動してＬＣＤ３に表示する表示情報（表示内容）を確認（検出）する（ステップＳ３）。そして、監視部６は、操作キー２の入力情報とＬＣＤ３の表示情報とを比較する（ステップＳ４）。
【００２１】
ここで、操作キー２の入力情報とＬＣＤ３の表示情報とが一致している場合は（ステップＳ４で一致）、ステップＳ１へ戻り、前述のスッテップＳ１〜ステップＳ３の処理を繰り返す。一方、操作キー２の入力情報とＬＣＤ３の表示情報とが一致していない場合は（ステップＳ４で不一致）、ＬＣＤ３の表示処理をスキップする（ステップＳ５）。そして、ユーザが操作キー２の入力操作を終了するか、または、所定時間に亘って操作キー２の入力操作を中止するのを待つ（ステップＳ６）。これにより、制御部５は、ユーザの最終的な操作キー２の入力情報を反映させ、ＬＣＤ３の表示を再開させる（ステップＳ７）。
【００２２】
すなわち、ステップＳ４における操作キー２の入力情報とＬＣＤ３の表示情報との比較結果において、操作キー２の入力情報とＬＣＤ３の表示情報とが不一致の場合は、ユーザによる操作キー２の入力速度に対してＬＣＤ３の表示処理が間に合わないため、ステップＳ５において、ＬＣＤ３への表示処理が行われない間に入力された操作キー２の入力情報は無効化され、ＬＣＤ３の表示処理がスキップされる。
【００２３】
言い換えると、ユーザによる操作キー２の入力速度が速すぎる場合は、操作キー２の入力情報に対してＬＣＤ３の表示処理が間に合わないので、操作キー２の入力情報とＬＣＤ３の表示情報との間にズレが生じるため、ユーザによる操作キー２の誤入力を引き起こす要因となる。
【００２４】
そこで、ユーザによる操作キー２の入力速度が速すぎる場合は、ステップＳ５においてＬＣＤ３の表示処理をスキップすることにより、例えば、その間はＬＣＤ３の表示をＯＦＦにしたり、ＬＣＤ３の表示更新を中止したりすることにより、携帯電話１の消費電力を必要最小限に抑えることができる。また、ＬＣＤ３の表示処理に費やしていた制御部５のＣＰＵの処理能力を、操作キー２の検出処理などに有効に使うことができる。これによって、制御部５のＣＰＵは携帯電話１の処理能力を最大限に活用して、より高速な処理を実現することができる。
【００２５】
また、ステップＳ５においてＬＣＤ３の表示処理をスキップしたときは、ステップＳ６において、一定時間に亘ってユーザによる操作キー２の入力操作がなければ（例えば、１秒間に亘って操作キー２の入力割り込みがなければ）、ステップＳ７において、ステップＳ５でＬＣＤ３の表示処理を停止してから、ユーザが操作キー２で入力した最終的な入力情報をＬＣＤ３の表示に反映させることにより、ＬＣＤ３の表示を再開する。
【００２６】
以上説明したように、本発明の携帯電話１においては、ユーザによる操作キー２の入力情報とＬＣＤ３の表示情報（表示内容）とを比較して、操作キー２の入力情報とＬＣＤ３表示情報とが異なる場合はＬＣＤ３の表示処理をスキップさせる。これによって、制御部５内のＣＰＵの処理能力を有効に利用して処理速度を優先させることができる。このような処理を行うことにより、携帯電話の消費電力を低減させることができると共に、操作キーによる操作待ち時間を少なくして、ストレスの少ないユーザ操作を実現することができる。
【００２７】
以上、本発明の携帯端末を一実施例に基づいて具体的に説明したが、本発明は前記実施例の内容に限定されるものではなく、その要旨を逸脱しない範囲で種々の変更が可能である。
【産業上の利用可能性】
【００２８】
本発明の携帯端末によれば、ユーザの操作上の個人差を解消して使い勝手を向上させているので、汎用の携帯電話などに有効に利用できることは勿論であるが、その他あらゆる情報端末機器などに有効に利用することができる。
【符号の説明】
【００２９】
１  携帯電話（携帯端末）
２  操作キー
３  ＬＣＤ（表示手段）
４  表示文字
５  制御部（制御手段）
６  監視部（監視手段）
【図１】
2011165137.tif 000003
【図２】
2011165137.tif 000004
【図３】
2011165137.tif 000005